(57)【要約】【課題】デジタルテレビジョン放送等のＤ−Ｄ変換等に適切に追従する。【解決手段】  ＴＳ−物理周波数対応データベース４３には、各ネットワークから送信されるＴＳに対して１以上の搬送波の物理周波数が対応付けられており、各搬送波周波数の受信状態、受信良好度指数、および選局順序が記録されている。受信状態が確定に分類される物理周波数は、対応するＴＳの受信を確認できた（過去に受信できた）ものである。受信状態が推定に分類される物理周波数は、対応するＴＳの受信を確認できていないが、周波数変更情報データベース４１に基づき、受信できる可能性があると判断できるものである。選局順序は、ユーザの選局等に対応するＴＳを受信するとき、１以上存在する搬送波周波数のうち、どれにチューニングするか、その順序を示すものである。本発明は、例えば、地上デジタルテレビジョン放送用の受信装置に適用できる。【選択図】図５
2005123835.tif 000002
【特許請求の範囲】
【請求項１】
放送信号を受信する受信装置において、
放送された周波数変更情報に基づき、受信対象とする各放送信号に１以上の搬送波周波数を対応付けた第１のテーブルを生成する第１の生成手段と、
前記第１のテーブルに基づき、受信対象とする各放送信号に対応する１以上の搬送波周波数の受信を試行し、前記試行の結果に基づいて前記１以上の搬送波周波数に対して受信時の優先順位を付与した第２のテーブルを生成する第２の生成手段と、
選局された放送信号を受信するとき、受信周波数を、前記第２のテーブルに記載された受信時の優先順位に従って前記放送信号に対応する１以上の搬送波周波数に順次切り換える受信制御手段と
を含むことを特徴とする受信装置。
【請求項２】
前記第２の生成手段は、前記第１のテーブルに基づき、受信対象とする各放送信号に対応する１以上の搬送波周波数の受信を試行し、前記試行の結果、受信できなかった搬送波周波数に対しても受信時の優先順位を付与する
ことを特徴とする請求項１に記載の受信装置。
【請求項３】
放送信号を受信する受信方法において、
放送された周波数変更情報に基づき、受信対象とする各放送信号に１以上の搬送波周波数を対応付けた第１のテーブルを生成する第１の生成ステップと、
前記第１のテーブルに基づき、受信対象とする各放送信号に対応する１以上の搬送波周波数の受信を試行し、前記試行の結果に基づいて前記１以上の搬送波周波数に対して受信時の優先順位を付与した第２のテーブルを生成する第２の生成ステップと、
選局された放送信号を受信するとき、受信周波数を、前記第２のテーブルに記載された受信時の優先順位に従って前記放送信号に対応する１以上の搬送波周波数に順次切り換える受信制御ステップと
を含むことを特徴とする受信方法。
【請求項４】
放送信号を受信するためのプログラムであって、
放送された周波数変更情報に基づき、受信対象とする各放送信号に１以上の搬送波周波数を対応付けた第１のテーブルを生成する第１の生成ステップと、
前記第１のテーブルに基づき、受信対象とする各放送信号に対応する１以上の搬送波周波数の受信を試行し、前記試行の結果に基づいて前記１以上の搬送波周波数に対して受信時の優先順位を付与した第２のテーブルを生成する第２の生成ステップと、
選局された放送信号を受信するとき、受信周波数を、前記第２のテーブルに記載された受信時の優先順位に従って前記放送信号に対応する１以上の搬送波周波数に順次切り換える受信制御ステップと
を含む処理をコンピュータに実行させることを特徴とするプログラム。
【発明の詳細な説明】
【技術分野】
【０００１】
本発明は、受信装置および方法、並びにプログラムに関し、例えば、デジタル放送信号に含まれるデータ信号を受信する場合に用いて好適な受信装置および方法、並びにプログラムに関する。
【背景技術】
【０００２】
日本国内におけるテレビジョン放送は、従来のアナログ地上波を利用するものに代わって、地上デジタル波を利用するもの（以下、地上デジタルテレビジョン放送と記述する）に移行される。この移行の過程においては、アナログ波とデジタル波が混在する期間があるが、これらの相互干渉を防ぐために、従来のアナログ波の周波数を変更する処理（いわゆる、アナ−アナ変換）が行われる。そして、地上デジタルテレビジョン放送に移行した後には、周波数帯を有効に活用するために、デジタル波の周波数を変更する処理（いわゆる、Ｄ−Ｄ変換）が行われることになる。
【０００３】
そこで、地上デジタルテレビジョン放送においては、Ｄ−Ｄ変換の他、新規開局、閉局、出力増加、出力減少等が行われることを事前に受信装置に知らせるための周波数リスト・変更情報を、放送信号に多重化して送信することが規定されている（例えば、非特許文献１参照）。
【０００４】
これに対して、これまでに提案されている地上デジタルテレビジョン放送の受信装置では、受信した周波数リスト・変更情報に記載されているＤ−Ｄ変換等の実施日時（以下、変更日時と記述する）と現在日時とを比較して、現在日時が変更日時に達したときに、受信する周波数の設定を変更するようになされている（例えば、特許文献１参照）。
【０００５】
【非特許文献１】地上デジタルテレビジョン放送運用規定  技術資料  ARIB TR-B14
【特許文献１】特開２０００−２７８１５６号公報
【発明の開示】
【発明が解決しようとする課題】
【０００６】
ところで、非特許文献１において規定されている周波数リスト・変更情報では、記載された変更日時と実際の変更日時が多少前後することの他、変更日時を未定とすること、記載しないこと等が許容されている。
【０００７】
したがって、周波数リスト・変更情報に記載された変更日時と実際の変更日時が多少前後していた場合、特許文献１の発明のように、周波数リスト・変更情報に記載されている変更日時に従って受信する周波数の設定を変更する方法では、Ｄ−Ｄ変換等に追従できなくなり、それまで受信できていた放送局が受信できなくなったり、新規開局を検出できなかったりしてしまう事態が起こり得るという課題があった。
【０００８】
本発明はこのような状況に鑑みてなされたものであり、デジタルテレビジョン放送等のＤ−Ｄ変換等に適切に追従できるようにすることを目的とする。
【課題を解決するための手段】
【０００９】
本発明の受信装置は、放送された周波数変更情報に基づき、受信対象とする各放送信号に１以上の搬送波周波数を対応付けた第１のテーブルを生成する第１の生成手段と、第１のテーブルに基づき、受信対象とする各放送信号に対応する１以上の搬送波周波数の受信を試行し、試行の結果に基づいて１以上の搬送波周波数に対して受信時の優先順位を付与した第２のテーブルを生成する第２の生成手段と、選局された放送信号を受信するとき、受信周波数を、第２のテーブルに記載された受信時の優先順位に従って放送信号に対応する１以上の搬送波周波数に順次切り換える受信制御手段とを含むことを特徴とする。
【００１０】
前記第２の生成手段は、第１のテーブルに基づき、受信対象とする各放送信号に対応する１以上の搬送波周波数の受信を試行し、試行の結果、受信できなかった搬送波周波数に対しても受信時の優先順位を付与するようにすることができる。
【００１１】
本発明の受信方法は、放送された周波数変更情報に基づき、受信対象とする各放送信号に１以上の搬送波周波数を対応付けた第１のテーブルを生成する第１の生成ステップと、第１のテーブルに基づき、受信対象とする各放送信号に対応する１以上の搬送波周波数の受信を試行し、試行の結果に基づいて１以上の周波数に対して受信時の優先順位を付与した第２のテーブルを生成する第２の生成ステップと、選局された放送信号を受信するとき、受信周波数を、第２のテーブルに記載された受信時の優先順位に従って放送信号に対応する１以上の搬送波周波数に順次切り換える受信制御ステップとを含むことを特徴とする。
【００１２】
本発明のプログラムは、放送された周波数変更情報に基づき、受信対象とする各放送信号に１以上の搬送波周波数を対応付けた第１のテーブルを生成する第１の生成ステップと、第１のテーブルに基づき、受信対象とする各放送信号に対応する１以上の搬送波周波数の受信を試行し、試行の結果に基づいて１以上の搬送波周波数に対して受信時の優先順位を付与した第２のテーブルを生成する第２の生成ステップと、選局された放送信号を受信するとき、受信周波数を、第２のテーブルに記載された受信時の優先順位に従って放送信号に対応する１以上の搬送波周波数に順次切り換える受信制御ステップとを含む処理をコンピュータに実行させることを特徴とする。
【００１３】
本発明の受信装置および方法、並びにプログラムにおいては、放送された周波数変更情報に基づき、受信対象とする各放送信号に１以上の搬送波周波数を対応付けた第１のテーブルが生成され、生成された第１のテーブルに基づき、受信対象とする各放送信号に対応する１以上の搬送波周波数の受信が試行されて、その試行の結果に基づいて１以上の搬送波周波数に対して受信時の優先順位が付与された第２のテーブルが生成される。そして、選局された放送信号を受信するとき、受信周波数が、第２のテーブルに記載された受信時の優先順位に従って放送信号に対応する１以上の搬送波周波数に順次切り換えられる。
【発明の効果】
【００１４】
本発明によれば、デジタルテレビジョン放送等のＤ−Ｄ変換等に適切に追従できるようにすることが可能となる。
【発明を実施するための最良の形態】
【００１５】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。したがって、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１６】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００１７】
本発明によれば、受信装置が提供される。この受信装置（例えば、図１の受信装置１０）は、放送された周波数変更情報（例えば、地上デジタルテレビジョン放送の周波数リスト・変更情報）に基づき、受信対象とする各放送信号に１以上の搬送波周波数を対応付けた第１のテーブル（例えば、図３の周波数変更情報データベース４１）を生成する第１の生成手段（例えば、図６のステップＳ１の処理を行う図１の制御部１１）と、第１のテーブルに基づき、受信対象とする各放送信号に対応する１以上の搬送波周波数の受信を試行し、試行の結果に基づいて１以上の搬送波周波数に対して受信時の優先順位を付与した第２のテーブル（例えば、図５のＴＳ−物理周波数対応データベース４３）を生成する第２の生成手段（例えば、図６のステップＳ２，３の処理を行う図１の制御部１１）と、選局された放送信号を受信するとき、受信周波数を、第２のテーブルに記載された受信時の優先順位に従って放送信号に対応する１以上の搬送波周波数に順次切り換える受信制御手段（例えば、図７のステップＳ１４乃至１６の処理を行う図１の制御部１１）とを含む。
【００１８】
本発明によれば、受信方法が提供される。この受信方法は、放送された周波数変更情報に基づき、受信対象とする各放送信号に１以上の搬送波周波数を対応付けた第１のテーブルを生成する第１の生成ステップ（例えば、図６のステップＳ１）と、第１のテーブルに基づき、受信対象とする各放送信号に対応する１以上の搬送波周波数の受信を試行し、試行の結果に基づいて１以上の周波数に対して受信時の優先順位を付与した第２のテーブルを生成する第２の生成ステップ（例えば、図６のステップＳ２，３）と、選局された放送信号を受信するとき、受信周波数を、第２のテーブルに記載された受信時の優先順位に従って放送信号に対応する１以上の搬送波周波数に順次切り換える受信制御ステップ（例えば、図７のステップＳ１４乃至１６）とを含む。
【００１９】
なお、本発明のプログラムの請求項に記載の構成要件と、発明の実施の形態における具体例との対応関係は、上述した本発明の受信方法のものと同様であるので、その記載は省略する。
【００２０】
以下、本発明の一実施の形態である、地上デジタルテレビジョン放送を受信する受信装置の構成例について、図１を参照して説明する。この受信装置１０において、制御部１１には、ユーザの操作を受け付けて対応する操作コマンドを生成する操作入力部１２、制御用プログラムが記憶されているROM１３、および各種のデータを記憶するRAM１４が接続されている。また、制御部１１には、バス１５を介して、通信部１６乃至音声信号処理部２１が接続されている。
【００２１】
制御部１１は、ROM１３に記録されている制御プログラムを実行することにより、バス１５を介して受信装置１０を構成する各部を制御する。RAM１４には、図２に示すように、制御部１１により、受信される周波数リスト・変更情報に基づいて生成される周波数変更情報データベース（ＤＢ）４１、現在のNIT記載周波数情報表４２、およびトランスポートストリーム−物理周波数対応データベース（ＤＢ）４３が保持される。
【００２２】
図１に戻る。操作入力部１２は、リモートコントローラ（不図示）や受信装置１０の筐体外面等に設けられる操作ボタン等から成り、ユーザの操作を受け付けて、対応する操作信号を制御部１１に出力する。通信部１６は、例えば、TCP/IP(Transmission Control Protocol/Internet Protocol)等に基づき、他の電子装置（不図示）と所定のデータを通信する。
【００２３】
フロントエンド部１７は、アンテナ（不図示）から入力される放送信号から、制御部１１からの選局に対応するチャンネル（搬送波の物理周波数）のトランスポートストリーム（以下、ＴＳと記述する）を抽出して、デマルチプレクサ１８に出力する。デマルチプレクサ１８は、フロントエンド部１７から入力されるＴＳから、番組の音声および映像に相当するＡＶ信号を分離してMPEGデコーダ１９に出力する。また、デマルチプレクサ１８は、ＴＳから、周波数リスト・変更情報等を含むデータ信号を分離して、バス１５を介して制御部１１に出力する。なお、周波数リスト・変更情報には、各放送局（ネットワーク）から放送されるＴＳ毎に、Ｄ−Ｄ変換、新規開局、閉局、出力増加、出力減少等が行われる送信所のリストと、それらが行われない無変更送信所のリストが含まれている。
【００２４】
MPEGデコーダ１９は、デマルチプレクサ１８から入力されたＡＶ信号をデコードし、その結果得られる映像信号および音声信号を、それぞれ映像信号処理部２２または音声信号処理部２１に出力する。映像信号処理部２０は、MPEGデコーダ１９から入力された映像信号を、後段のモニタ３０に適合するフォーマットに変換する。音声信号処理部２１は、MPEGデコーダ１９から入力された音声信号に対し、所定の音声処理を行う。モニタ３０は、映像信号処理部２０からの映像信号に対応する映像を表示するとともに、音声信号処理部２１からの音声信号に対応する音声を出力する。
【００２５】
次に、図３は、周波数変更情報データベース４１の一例を示している。この周波数変更情報データベース４１は、受信された周波数リスト・変更情報に基づき、制御部１１によって生成される。
【００２６】
周波数変更情報データベース４１には、各放送局（ネットワーク）から放送されるＴＳ毎に、１以上の搬送波周波数が対応付けられ、さらに、各搬送波周波数が、「変更後、受信不可となる可能性がある物理周波数」、「変更後、受信可能となる可能性がある物理周波数」、または「変更がなく引き続き受信できる可能性がある物理周波数」のいずれかに分類されて記憶されている。
【００２７】
「変更後、受信不可となる可能性がある物理周波数」には、閉局によって送信が停止される物理周波数、Ｄ−Ｄ変換前の物理周波数、または送信出力減の物理周波数が分類される。
【００２８】
「変更後、受信可能となる可能性がある物理周波数」には、新規開局によって送信が開始される物理周波数、Ｄ−Ｄ変換後の物理周波数、または送信出力増の物理周波数が分類される。
【００２９】
「変更がなく引き続き受信できる可能性がある物理周波数」には、Ｄ−Ｄ変換等が行われない無変更送信所から送信されている物理周波数が分類される。
【００３０】
次に、図４は、NIT記載周波数情報表４２の一例を示している。このNIT記載周波数情報表４２は、地上デジタルテレビジョン放送のNITに基づき、制御部１１によって生成される。NIT記載周波数情報表４２には、当該受信装置１０が受信するように設定されている各放送局（ネットワーク）について、ネットワークを識別するためのネットワークＩＤと、放送されるＴＳの搬送波周波数が対応付けられている。このNIT記載周波数情報表４２にある物理周波数も、周波数変更情報データベース４１内の対応するＴＳの「変更がなく引き続き受信できる可能性がある物理周波数」に分類して記憶させるようにしてもよい。
【００３１】
次に、図５は、ＴＳ−物理周波数対応データベース４３の一例を示している。このＴＳ−物理周波数対応データベース４３には、各ネットワークから送信されるＴＳに対して１以上の搬送波の物理周波数が対応付けられており、各搬送波周波数の受信状態、受信良好度指数、および選局順序が記録されている。なお、ＴＳを特定する情報としては、TS IDの他、１ネットワーク１ＴＳで、ネットワークＩＤとTS_IDが同じ値と規定されている日本の地上デジタルテレビジョン放送では、TS IDの代わりにネットワークＩＤだけを用いてもよい。
【００３２】
受信状態が確定に分類される物理周波数は、対応するＴＳの受信を確認できた（過去に受信できた）ものである。受信状態が推定に分類される物理周波数は、対応するＴＳの受信を確認できていないが、周波数変更情報データベース４１に基づき、受信できる可能性があると判断できるものである。
【００３３】
受信良好度指数は、受信状態が確定に分類された物理周波数に対して、受信を確認できたときのＣＮ(Carrier to Noise)比、フロントエンド部１７におけるAGC(Auto Gain Control)値、またはBER(Bit Error Rate)値等を用いる。なお、図５においては、受信良好度指数の値が大きいものほど、より良好に受信できたものとしている。
【００３４】
選局順序は、ユーザの選局等に対応するＴＳを受信するとき、１以上存在する搬送波周波数のうち、どれにチューニングするか、その順序を示すものである。この選局順序は、受信状態が確定であるものが推定であるものよりも優先され、受信状態が確定であるもののうちでは、より良好に受信できる（受信良好度指数がより大きい）ものほど優先的に早い順序に設定される。
【００３５】
また、図３、図４、図５では、物理周波数だけでなく、モード情報、ガードインターバルなどのチューニングに有益な情報を、物理周波数に付随する情報として記憶するようにしてもよい。
【００３６】
なお、図５に示すように、最終利用フラグを追記したりするようにしても良い。この最終利用フラグは、ユーザの選局等に対応するＴＳを前回受信したとき、１以上存在する搬送波周波数のうち、どれにチューニングしたかを示すものである。
【００３７】
ここで、ＴＳ−物理周波数対応データベース４３を生成し、更新する処理（以下、ＤＢ更新処理と記述する）について、図６のフローチャートを参照してまとめると以下のとおりとなる。
【００３８】
ステップＳ１において、制御部１１は、受信した周波数リスト・変更情報に基づいて周波数変更情報データベース４１を更新する。
【００３９】
ステップＳ２において、制御部１１は、周波数変更情報ＤＢ４１とＴＳ−物理周波数対応データベース４３とを比較し、周波数変更情報ＤＢ４１に記載されていてＴＳ−物理周波数対応データベース４３に記載されていないＴＳのネットワークＩＤまたはTS IDを（両方でも良い）、ＴＳ−物理周波数対応データベース４３に追記する。
【００４０】
ステップＳ３において、制御部１１は、ステップＳ２の処理で追記したＴＳに対応する物理周波数（周波数変更情報ＤＢ４１に記載されている）を、受信状態を推定に分類し、選局順位を付与して、ＴＳ−物理周波数対応データベース４３に追記する。そして、推定に分類された物理周波数については、この後における受信装置１０の起動時等において、受信できるか否かを確認し、その結果に応じて、受信状態および受信良好度指数を追記し、選局順位を更新するようにする。したがって、ＴＳ−物理周波数対応データベース４３は、放送の実態に即して更新されることになる。以上で、ＤＢ更新処理の説明を終了する。
【００４１】
次に、受信装置１０による選局時の処理について、図７のフローチャートを参照して説明する。この選局時の処理は、例えば、リモートコントローラを用いたユーザの選局操作等に対応して操作入力部１２が、制御部１１に操作信号を出力したときに開始される。
【００４２】
ステップＳ１１において、制御部１１は、選局に対応するＴＳを特定する。ステップＳ１２において、制御部１１は、ＴＳ−物理周波数対応データベース４３を参照することにより、特定されたＴＳ選局に対応するＴＳに対応する１以上の搬送波周波数のうち、選局順位１番目の物理周波数を特定する。ステップＳ１３において、フロントエンド部１７は、制御部１１によって特定された搬送波物理周波数にチューニングし、ステップＳ１１で特定されたＴＳの受信を試みる。
【００４３】
ステップＳ１４において、フロントエンド部１４は、特定されたＴＳの受信が良好であるか否かを判断する。例えば、フロントエンド部１４がロックした場合、受信したＴＳからPATが抽出できて、かつ、PATに含まれるTS IDが特定されたＴＳのそれと一致する場合、受信したＴＳからNITが抽出できて、かつ、NITに含まれるネットワークＩＤが特定されたＴＳに対応するそれと一致する場合、または、特定されたＴＳとは異なるが同一のＴＳといなせるものが受信できた場合（例えば、特定されたＴＳのネットワークと、受信できたＴＳのネットワークとがローカル独立、県複独立の関係にある場合等）には、「受信が良好である」と判断する。
【００４４】
反対に、例えば、フロントエンド部１４がロックしなかった場合、受信したＴＳからPATが抽出できなかった場合、PATが抽出できてもそれに含まれるTS IDが特定されたＴＳのそれと一致しなかった場合、受信したＴＳからNITが抽出できなかった場合、または、NITが抽出できてもそれに含まれるネットワークＩＤが、特定されたＴＳに対応するそれと一致しなかった場合には、「受信が良好ではない」と判断する。
【００４５】
ステップＳ１４において、「受信が良好である」と判断された場合、この選局時の処理は終了され、現在のチューニングが維持される。
【００４６】
ステップＳ１４において、「受信が良好ではない」と判断された場合、処理はステップＳ１５に進む。ステップＳ１５において、制御部１１は、ＴＳ−物理周波数対応データベース４３を参照して、ステップＳ１１で特定したＴＳに対応する、未チューニングの物理周波数が存在するか否かを判定する。存在すると判定された場合、処理はステップＳ１６に進む。ステップＳ１６において、制御部１１は、選局順位が次の物理周波数を特定し、ステップＳ１３の処理に戻る。
【００４７】
ステップＳ１５において、ステップＳ１１で特定したＴＳに対応する、未チューニングの物理周波数が存在しないと判定された場合、ＴＳ−物理周波数対応データベース４３に記載されているいずれの物理周波数にチューニングしても良好に受信できていないが、今後、良好に受信できる可能性が最も高いと考えられる選局順位１番目の物理周波数にチューニングするため、処理はステップＳ１７に進む。
【００４８】
ステップＳ１７において、制御部１１は、フロントエンド部１７で選局順位１番目の物理周波数にチューニングされているか否かを判定する。選局順位１番目の物理周波数にチューニングされていると判定された場合、この選局時の処理は終了され、選局順位１番目の物理周波数にチューニングされた状態が維持される。
【００４９】
ステップＳ１７において、選局順位１番目の物理周波数にチューニングされていると判定された場合、処理はステップＳ１８に進む。ステップＳ１８において、フロントエンド部１７は、制御部１１からの制御に従い、選局順位１番目の物理周波数にチューニングする。以上で、選局時の処理は終了される。
【００５０】
なお、ＴＳ−物理周波数対応データベース４３に、最終利用フラグを設けている場合、ステップＳ１２において、選局順序よりも優先して、最終利用フラグが付与されている搬送波物理周波数を特定するようにする。このようにすれば、より速やかにより良好に受信できる搬送波周波数にチューニングすることができるようになる。
【００５１】
以上説明したように、選局時の処理によれば、放送の実態に即して更新されたＴＳ−物理周波数対応データベース４３に基づき、選局に対応するＴＳの搬送波物理周波数にチューニングされるので、常に良好な受信が期待できる。仮に良好な受信ができなかったときも、良好な受信が期待できる物理周波数にチューニングが維持される。
【００５２】
また、新規開局や閉局していた放送局が復活した場合にも、それらから放送されるであろうＴＳの搬送波物理周波数を、受信状態を推定に区分して保持しているので、新規開局等から放送されるＴＳを探索するために搬送波物理周波数をスキャンすることなく、新規開局等から放送されるＴＳを速やかに受信することができる。
【００５３】
なお、本明細書において、本発明のプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【００５４】
【図１】本発明の一実施の形態である受信装置の構成例を示すブロック図である。
【図２】図１のRAMに保持される情報を示す図である。
【図３】図２の周波数変更情報データベースの一例を示す図である。
【図４】図２のNIT記載周波数情報表の一例を示す図である。
【図５】図２のＴＳ−物理周波数対応ＤＢの一例を示す図である。
【図６】ＤＢ更新処理を説明するフローチャートである。
【図７】選局時の処理を説明するフローチャートである。
【符号の説明】
【００５５】
１０  受信装置，  １１  制御部，１２  操作入力部，  １７  フロントエンド部，  １８  デマルチプレクサ，  ４１  周波数変更情報データベース，  ４２  NIT記載周波数情報表，  ４３  図２のＴＳ−物理周波数対応ＤＢ
【図１】
2005123835.tif 000003
【図２】
2005123835.tif 000004
【図３】
2005123835.tif 000005
【図４】
2005123835.tif 000006
【図５】
2005123835.tif 000007
【図６】
2005123835.tif 000008
【図７】
2005123835.tif 000009